(57)【要約】  【課題】  既存建物を免震改修したり、又は免震装置を交換する際に、上部躯体と下部躯体との間に免震装置を設置する方法を提供する。  【解決手段】  下部躯体の側に、後で鋼板上に配置する鋼球の上端と、下部躯体の上面とが略等しい高さとなるように架台を組み上げ、架台上に、下部躯体の上面と略水平方向に連続するように鋼板を配置する。鋼板上に鋼球を配置し、鋼球上に免震装置を載せて滑走させ、上部躯体と下部躯体との間に挿入する。免震装置の上側フランジと上部躯体との隙間、及び下側フランジと下部躯体との隙間にエポキシ樹脂等を充填して、免震装置を固定する。【選択図】  図３
2007063900.tif 000002
【特許請求の範囲】
【請求項１】
既存建物の免震改修などの際に、上部躯体と下部躯体との間に免震装置を設置する方法であって、
下部躯体の側に、後で鋼板上に配置する鋼球の上端と、前記下部躯体の上面とが略等しい高さとなるように架台を組み上げ、同架台上に、前記下部躯体の上面と略水平方向に連続するように鋼板を配置すること、
前記鋼板上に鋼球を配置し、同鋼球上に免震装置を載せて滑走させ、上部躯体と下部躯体との間に挿入すること、
免震装置の上側フランジと上部躯体との隙間、及び下側フランジと下部躯体との隙間にエポキシ樹脂等を充填して、免震装置を固定することを特徴とする、免震装置の設置方法。
【請求項２】
免震装置はスペーサーを介して鋼球上を滑走させ、同免震装置の下面にスペーサーを配置した状態で上部躯体と下部躯体との間に挿入し、免震装置の下側フランジの下面と下部躯体の上面との間の前記スペーサーによって形成された隙間へ、ジャッキを設置して免震装置を押し上げ、スペーサーを抜き取ると共に、免震装置の高さ調整を行い、同免震装置の下側フランジにレベルボルトをネジ込んで調整後の高さを固定し、免震装置の上側フランジと上部躯体との隙間、及び下側フランジと下部躯体との隙間にエポキシ樹脂等を充填して、免震装置を固定することを特徴とする、請求項１に記載した免震装置の設置方法。
【請求項３】
既存建物の免震改修などの際に、上部躯体と下部躯体との間に免震装置を設置するための装置であって、
下部躯体の側に組み上げられた架台の上面に、同下部躯体の上面と略水平方向に連続するように鋼板が配置されており、同鋼板の上面に免震装置を滑走させるのに十分な個数の鋼球が配置されていること、
前記架台の高さは、鋼板上に配置された鋼球の上端と、前記下部躯体の上面とが略等しい高さとなるように組み上げられていることを特徴とする、免震装置の設置装置。
【発明の詳細な説明】
【技術分野】
【０００１】
この発明は、既存建物を免震改修したり、又は免震装置を交換する際に、上部躯体と下部躯体との間に免震装置を設置する方法及びそれに用いる設置装置の技術分野に属し、更に云うと、上部躯体と下部躯体との間に十分な余裕がない場合に有効な免震装置の設置方法及びそれに用いる設置装置に関する。
【背景技術】
【０００２】
既存建物を免震改修したり、又は免震装置を交換する際に、重量物である免震装置を、上部躯体と下部躯体との間に無理なくスムーズに挿入できることは、施工性だけでなく、免震装置の品質を確保する上でも重要である。
【０００３】
そのため、従来から種々の免震装置の設置方法及びそれに用いる設置装置が開発されており、例えば、以下の（ｉ）、（ii）の技術が開示されている。
【０００４】
（ｉ）特許文献１、２には、台車に免震装置を載せて上部躯体と下部躯体との間に運搬し、同台車に備えられたジャッキを用いて免震装置を下部躯体の上面に載置し、台車を抜き取って免震装置を設置する方法及びそれに用いる設置装置が開示されている。
【０００５】
（ii）特許文献３には、免震装置を設置するべく躯体を切断する際に同躯体の四方に仮設柱を設置し、隣接する前記仮設柱の所定の高さ位置にリンク機構を設置し、双方のリンク機構で免震装置を支持しながら水平移動させて上部躯体と下部躯体との間に設置する方法及びそれに用いる設置装置が開示されている。
【特許文献１】特開平１０−３３１４２７号公報
【特許文献２】特開平１１−２２９６３３号公報
【特許文献３】特開２０００−１７０３９４号公報
【発明の開示】
【発明が解決しようとする課題】
【０００６】
上記特許文献１、２の免震装置の設置方法は、台車に免震装置を載せて運搬するので、その分だけ高さが増し、上部躯体と下部躯体との間に十分な余裕がない場合には、上部躯体と下部躯体との間に運搬しようとしても引っ掛かり、免震装置を設置できない問題点がある。しかも、免震装置を設置する際に用いる設置装置は、台車を走行させるために大掛かりな架台が必要であったり、台車自体の構成が複雑であったりするので、施工性が悪い。
【０００７】
上記特許文献３の免震装置の設置方法は、双方のリンク機構で免震装置を水平移動させるので、上部躯体と下部躯体との間に十分な余裕がない場合でも実施できるが、リンク機構は重量物である免震装置を支持するために剛強な構成とする必要がある。しかも、前記リンク機構と仮設柱との接合部も剛強な構成とする必要があり、免震装置を設置する際に使用する設置装置が大掛かりになり、やはり施工性が悪い問題点がある。
【０００８】
したがって、本発明の目的は、下部躯体の側に組み上げた架台の上面に鋼板を配置し、同鋼板の上面に配置した鋼球上に免震装置を載せて滑走させ、つまり免震装置を略水平に滑走させ上部躯体と下部躯体との間に挿入し設置することで、上部躯体と下部躯体との間に十分な余裕がなくても、上部躯体と下部躯体との間に免震装置を無理なくスムーズに設置することができ、しかも施工性が良い免震装置の設置方法を提供することである。
【０００９】
本発明の次の目的は、簡単な構成で、上部躯体と下部躯体との間に十分な余裕がなくても、上部躯体と下部躯体との間に免震装置を無理なくスムーズに設置することができる、免震装置の設置装置を提供することである。
【課題を解決するための手段】
【００１０】
上記従来技術の課題を解決するための手段として、請求項１に記載した発明に係る免震装置の設置方法は、
既存建物の免震改修などの際に、上部躯体と下部躯体との間に免震装置を設置する方法であって、
下部躯体の側に、後で鋼板上に配置する鋼球の上端と、前記下部躯体の上面とが略等しい高さとなるように架台を組み上げ、同架台上に、前記下部躯体の上面と略水平方向に連続するように鋼板を配置すること、
前記鋼板上に鋼球を配置し、同鋼球上に免震装置を載せて滑走させ、上部躯体と下部躯体との間に挿入すること、
免震装置の上側フランジと上部躯体との隙間、及び下側フランジと下部躯体との隙間にエポキシ樹脂等を充填して、免震装置を固定することを特徴とする。
【００１１】
請求項２記載の発明は、請求項１に記載した免震装置の設置方法において、
免震装置はスペーサーを介して鋼球上を滑走させ、同免震装置の下面にスペーサーを配置した状態で上部躯体と下部躯体との間に挿入し、免震装置の下側フランジの下面と下部躯体の上面との間の前記スペーサーによって形成された隙間へ、ジャッキを設置して免震装置を押し上げ、スペーサーを抜き取ると共に、免震装置の高さ調整を行い、同免震装置の下側フランジにレベルボルトをネジ込んで調整後の高さを固定し、免震装置の上側フランジと上部躯体との隙間、及び下側フランジと下部躯体との隙間にエポキシ樹脂等を充填して、免震装置を固定することを特徴とする。
【００１２】
請求項３に記載した発明に係る免震装置の設置装置は、
既存建物の免震改修などの際に、上部躯体と下部躯体との間に免震装置を設置するための装置であって、
下部躯体の側に組み上げられた架台の上面に、同下部躯体の上面と略水平方向に連続するように鋼板が配置されており、同鋼板の上面に免震装置を滑走させるのに十分な個数の鋼球が配置されていること、
前記架台の高さは、鋼板上に配置された鋼球の上端と、前記下部躯体の上面とが略等しい高さとなるように組み上げられていることを特徴とする。
【発明の効果】
【００１３】
本発明に係る免震装置の設置方法は、下部躯体の側に組み上げた架台の上面に鋼板を配置し、同鋼板の上面に配置した鋼球上に免震装置を載せて滑走させる。つまり免震装置を略水平に滑走させ上部躯体と下部躯体との間に挿入して設置するので、上部躯体と下部躯体との間に十分な余裕がなくても、上部躯体と下部躯体との間に免震装置を無理なくスムーズに設置することができる。しかも、免震装置を滑走させて上部躯体と下部躯体との間に挿入し、高さ調整を行い固定するだけで設置できるので、施工性が良い。
【００１４】
本発明の免震装置の設置装置は、架台と鋼板と鋼球だけで構成されており、簡単な構成でありながら、上部躯体と下部躯体との間に十分な余裕がなくても、上部躯体と下部躯体との間に免震装置を無理なくスムーズに設置することができる。しかも、鋼球は３６０°（２πrad）回転するので、免震装置の滑走方向が所定の方向からズレても、容易に修正でき、精度良く上部躯体と下部躯体との間に挿入することができる。
【発明を実施するための最良の形態】
【００１５】
下部躯体の側に、後で鋼板上に配置する鋼球の上端と、前記下部躯体の上面とが略等しい高さとなるように架台を組み上げ、同架台上に、前記下部躯体の上面と略水平方向に連続するように鋼板を配置する。前記鋼板上に鋼球を配置し、同鋼球上に免震装置を載せて滑走させ、上部躯体と下部躯体との間に挿入する。免震装置の上側フランジと上部躯体との隙間、及び下側フランジと下部躯体との隙間にエポキシ樹脂等を充填して、免震装置を固定する。
【実施例１】
【００１６】
本発明に係る免震装置の設置方法、及びそれに用いる設置装置の実施例を、図１〜図１０に基づいて説明する。この免震装置１の設置方法、及びそれに用いる設置装置２は、既存建物３を免震改修したり、又は免震装置１を交換する際に、上部躯体４と下部躯体５との間に免震装置１を無理なくスムーズに設置するべく実施され、特に、上部躯体４と下部躯体５との間に十分な余裕がない場合に好適に実施される。
【００１７】
先ず、本発明に係る免震装置１の設置方法に使用する設置装置２を説明する。
設置装置２は、下部躯体５（本実施例ではフーチング）の側に組み上げられた架台６の上面に、同下部躯体５の上面５ａと略水平方向に連続するように鋼板７が配置されており、同鋼板７の上面に免震装置１を滑走させるのに十分な個数の鋼球８…が配置されている（図１及び図３を参照）。
【００１８】
具体的には、架台６は、鋼板７上に配置された鋼球８の上端と、前記下部躯体５の上面５ａとが略等しい高さ（図２では鋼球８の上端が若干高い。）となり、免震装置１を載せるのに十分な幅寸法、強度を有するように角形鋼管（但し、強度が確保できる部材であれば、特に限定しない。）９で組み上げられている（図２及び図３を参照、請求項３記載の発明）。
【００１９】
鋼板７も免震装置１を載せるのに十分な幅寸法、強度を有する構成とされており、外周縁には鋼球８がこぼれ落ちないように垂直壁７ａが形成されている。そして、鋼板７の一辺が下部躯体５の外周縁に略当接するように配置され、鋼板７と下部躯体５とを略水平方向に連続させている。
【００２０】
鋼球８…は通例の鋼球で構成されており、個々に略等しい直径の鋼球である。なお、鋼球８の直径は免震装置１の重量やサイズに応じて適宜設定されるが、一例として９mm程度とされている。
【００２１】
次に、上記構成の設置装置２を用いた免震装置１の設置方法を説明する。
先ず、通例の既存建物の免震改修工法と略同様に、ジャッキ（図示を省略）で支持しながら、既存建物３の基礎梁（以下、上部躯体と同一符号を付する。）４とフーチング（以下、下部躯体と同一符号を付する）５との縁を切り、所定の高さ除去し、このフーチング５の側に、上記構成の設置装置２を組み上げる（図１を参照）。
【００２２】
設置装置２の鋼球８…上に免震装置１を載せるべく、同免震装置１をテーブルリフト９で運搬する（図４を参照）。具体的には、テーブルリフト９の上面に配置したローラーベアリング（図示を省略）上に免震装置１を載せて設置装置２の側まで運搬し、前記ローラーベアリング上を滑走させて設置装置２の鋼球８…上に載せる。このとき、後で基礎梁４とフーチング５との間に免震装置１を挿入した際に、同免震装置１の下方に爪ジャッキ１０（図８を参照）を設置する（噛ます）ための隙間Ｔを形成するべく、免震装置１はスペーサー１１を介して鋼球８…上に載せる（図５等を参照）。前記スペーサー１１は、免震装置１の下方から抜き取ることができるように、免震装置１の下側フランジ１２より一回り小さい鋼板を分割した構成とし、免震装置１の下側フランジ１２にネジ込むレベルボルト１３を避けて配置している（図６を参照）。
【００２３】
免震装置１はスペーサー１１を介して鋼球８…上を滑走させ、同免震装置１の下側フランジ１２の下面にスペーサー１１を配置した状態で、基礎梁４とフーチング５との間に挿入する（図７を参照）。免震装置１の下側フランジ１２の下面にスペーサー１１が配置されているので、免震装置１の挿入作業時に前記下側フランジ１２の下面がフーチング５の上面５ａと接触することがなく、健全な状態を維持できる。
【００２４】
免震装置１の下側フランジ１２の下面と、フーチング５の上面５ａとの間に、爪ジャッキ１０を噛ますための隙間Ｔが形成され、この隙間Ｔへ爪ジャッキ１０を噛まして免震装置１を押し上げ、スペーサー１１を抜き取る（図８を参照）。同時に、爪ジャッキ１０で免震装置１の高さ調整を行い、免震装置１の下側フランジ１２にレベルボルト１３をネジ込み調整後の高さを固定した後に、爪ジャッキ１０を撤去する。爪ジャッキ１０によって免震装置１が押し上げられているので、レベルボルト１３を容易に回転させることができる。ちなみに、爪ジャッキ１０の配置は、スペーサー１１を抜き取る際に邪魔にならないように、両側に２機ずつ配置している（図９を参照）。
【００２５】
免震装置１の上側フランジ１４と基礎梁４との隙間、及び下側フランジ１２とフーチング５との隙間に型枠（図示を省略）を設け、エポキシ樹脂１５（但し、モルタル等でも良い。）を充填して免震装置１を固定する（図１０を参照）。
最後に、設置装置２を撤去すると、免震装置１の設置が完了する。
【００２６】
本発明の免震装置１の設置方法は、フーチング（下部躯体）５の側に組み上げた架台６の上面に鋼板７を配置し、同鋼板７の上面に配置した鋼球８…上に免震装置１を載せて滑走させる。つまり免震装置１を略水平に滑走させ基礎梁（上部躯体）４とフーチング５との間に挿入して設置するので、基礎梁４とフーチング５の間に十分な余裕がなくても、基礎梁４とフーチング５との間に免震装置１を無理なくスムーズに設置することができる。しかも、免震装置１を滑走させて基礎梁４とフーチング５との間に挿入し、高さ調整を行い固定するだけで設置できるので、施工性が良い。
【００２７】
本発明の免震装置１の設置装置２は、架台６と鋼板７と鋼球８…だけで構成されており、簡単な構成でありながら、基礎梁４とフーチング５との間に十分な余裕がなくても、基礎梁４とフーチング５との間に免震装置１を無理なくスムーズに設置することができる。しかも、鋼球８は３６０°（２πrad）回転するので、免震装置１の滑走方向が所定の方向からズレても、容易に修正でき、精度良く基礎梁４とフーチング５との間に挿入することができる。
【実施例２】
【００２８】
上記実施例１の免震装置１の設置方法は、爪ジャッキ１０を用いて免震装置１の高さ調整を行ったが、免震装置１が比較的軽量な場合は、レベルボルト１３で高さ調整を行っても良い。この場合、免震装置１の下方に配置するスペーサー１１を省略することができる。
【実施例３】
【００２９】
上記実施例１の免震装置１の設置方法は、既存建物３の基礎梁４とフーチング５との間に免震装置１を設置したが、通例の既存建物の免震改修工法の全てにおいて実施できる。
【実施例４】
【００３０】
以上に本発明の実施例を説明したが、本発明はこうした実施例に何ら限定されるものではなく、本発明の要旨を逸脱しない範囲において、種々の形態で実施し得る。
【図面の簡単な説明】
【００３１】
【図１】本発明に係る免震装置の設置方法の実施例を示した工程図である。
【図２】鋼球の上端と下部躯体の上面との高さ関係を示した正面図である。
【図３】本発明に係る免震装置の設置装置の実施例を示した構造図である。
【図４】本発明に係る免震装置の設置方法の実施例を示した工程図である。
【図５】図４の免震装置周辺を示した拡大図である。
【図６】スペーサーとレベルボルトの配置関係を示した平面図である。
【図７】本発明に係る免震装置の設置方法の実施例を示した工程図である。
【図８】図７の免震装置周辺を示した拡大図である。
【図９】スペーサーとレベルボルトと爪ジャッキの配置関係を示した平面図である。
【図１０】本発明に係る免震装置の設置方法の実施例を示した工程図である。
【符号の説明】
【００３２】
１      免震装置
２      設置装置
３      既存建物
４      上部躯体
５      下部躯体
５ａ    下部躯体の上面
６      架台
７      鋼板
８      鋼球
１０    爪ジャッキ
１１    スペーサー
１２    免震装置の下側フランジ
１３    レベルボルト
１４    免震装置の上側フランジ
１５    エポキシ樹脂
Ｔ      隙間
【図１】
2007063900.tif 000003
【図２】
2007063900.tif 000004
【図３】
2007063900.tif 000005
【図４】
2007063900.tif 000006
【図５】
2007063900.tif 000007
【図６】
2007063900.tif 000008
【図７】
2007063900.tif 000009
【図８】
2007063900.tif 000010
【図９】
2007063900.tif 000011
【図１０】
2007063900.tif 000012